(57)【要約】【課題】本発明は、操作機能を示す文字や記号等に対する照明ムラを防止することが可能な多層成形釦を提供することを目的とする。【解決手段】本発明による多層成形釦は、両端が開口した筒状を有し、非透過性の成形材料で成形された遮光部４と、遮光部４の一端に嵌合され、かつ、当該一端における開口を覆うように透過性の成形材料で成形された光導部３と、光導部３を覆うように半透過性の成形材料で成形され、遮光部４の他端側からの光を外部から視認可能に表示する表示部２とを備える。【選択図】図１９
2012204122.tif 000002
【特許請求の範囲】
【請求項１】
両端が開口した筒状を有し、非透過性の成形材料で成形された遮光部と、
前記遮光部の一端に嵌合され、かつ、当該一端における前記開口を覆うように透過性の成形材料で成形された光導部と、
前記光導部を覆うように半透過性の成形材料で成形され、前記遮光部の他端側からの光を外部から視認可能に表示する表示部と、
を備える、多層成形釦。
【請求項２】
前記表示部を覆い、かつ、前記表示部の一部が露出するように非透過性の成形材料で成形された外周部をさらに備えることを特徴とする、請求項１に記載の多層成形釦。
【請求項３】
前記表示部を覆い、かつ、前記表示部の一部が露出するように金属蒸着された金属蒸着部をさらに備えることを特徴とする、請求項１に記載の多層成形釦。
【請求項４】
前記表示部を覆い、かつ、前記表示部の一部が露出するように塗装された塗装部をさらに備えることを特徴とする、請求項１に記載の多層成形釦。
【請求項５】
前記多層成形釦を横方向に２個配置して多層成形横２連釦を構成することを特徴とする、請求項１ないし４のいずれかに記載の多層成形釦。
【請求項６】
前記多層成形釦を縦方向に２個配置して多層成形縦２連釦を構成することを特徴とする、請求項１ないし４のいずれかに記載の多層成形釦。
【請求項７】
前記多層成形釦を上側に１個、かつ、下側の横方向に２個配置して多層成形三角形３連釦を構成することを特徴とする、請求項１ないし４のいずれかに記載の多層成形釦。
【請求項８】
前記多層成形釦を上側の横方向に２個、かつ、下側に１個配置して多層成形逆三角形３連釦を構成することを特徴とする、請求項１ないし４のいずれかに記載の多層成形釦。
【請求項９】
前記多層成形釦を上側の横方向に２個、かつ、下側の横方向に２個配置して多層成形４連釦を構成することを特徴とする、請求項１ないし４のいずれかに記載の多層成形釦。
【請求項１０】
請求項１に記載の多層成形釦の製造方法であって、
（ａ）コア部金型と第１のキャビ部金型とを用いて前記遮光部を成形する工程と、
（ｂ）前記工程（ａ）の後、前記コア部金型と第２のキャビ部金型とを用いて前記光導部を成形する工程と、
（ｃ）前記工程（ｂ）の後、前記コア部金型と第３のキャビ部金型とを用いて前記表示部を成形する工程と、
を備える、多層成形釦の製造方法。
【請求項１１】
請求項２に記載の多層成形釦の製造方法であって、
請求項１０の前記工程（ａ）〜（ｃ）の後に、
（ｄ）前記第コア部金型と第４のキャビ部金型とを用いて前記外周部を成形する工程、
をさらに備える、多層成形釦の製造方法。
【請求項１２】
前記工程（ａ）〜（ｃ）または前記工程（ａ）〜（ｄ）の各々に対応する複数の前記コア部金型が回転移動可能なターンテーブルに固定して配置され、
前記ターンテーブルの回転移動に従って前記工程（ａ）〜（ｃ）または前記工程（ａ）〜（ｄ）を順に行うことを特徴とする、請求項１０または１１に記載の多層成形釦の製造方法。
【請求項１３】
請求項１０または１１に記載の多層成形釦の製造方法に用いられる多層成形釦用金型。
【請求項１４】
請求項１２に記載の多層成形釦の製造方法に用いられる射出成形装置。
【発明の詳細な説明】
【技術分野】
【０００１】
本発明は、例えば暗所での使用環境時に高輝度の光源を用いることなく、操作機能を示す文字や記号等を均一に照明して表示する多層成形釦、多層成形釦の製造方法、多層成形釦用金型、および射出成形装置に関する。
【背景技術】
【０００２】
暗所での使用環境時において、操作釦に示された操作機能を示す文字や記号等を照明して表示させて安全で誤操作の防止が要求される装置として、オーディオ、ナビゲータ等の車載用機器や投射型プロジェクター等の暗所で使用する電子機器がある。オーディオ、ナビゲータ等の車載用機器に備えられた操作釦に示される文字や記号等を照明して表示させるために用いられる光源の輝度は、安全で誤操作の防止が要求されることから、眩しくない程度に視認出来るように低輝度の光源を使用することが条件となる。また、投射型プロジェクター等の操作釦に示された文字や記号等を照明して表示させるために用いられる光源の輝度は、機器が投射する映像画面に影響を与えない程度に視認出来るように低輝度の光源を使用することが条件となる。
【０００３】
特に、多機能を搭載した機器では、小型化や操作釦の数の増加に伴い、操作釦を集中的に配置する必要があり、また、上記の機器では、安全上において誤操作の防止が必要となる操作釦の照明色と、機能上において分類が必要となる操作釦の照明色と、通常使用時において使用頻度が高い操作釦の照明色とは、それぞれ分離して、文字や記号等の視認とともに照明色による視認も行えるように配慮された設計となっていることが一般的である。
【０００４】
従来、操作釦数の増加や照明色の増加に伴い、安全上において誤操作の防止が必要となる操作釦と、機能上において分類が必要となる操作釦と、通常使用時において使用頻度が高い操作釦とが、互いに隣接して配置されるため、機能や操作別に色設定された照明が漏れ光となり、当該漏れ光が互いに干渉して変色するため、操作釦に表示される文字や記号等に対して照明ムラが生じ、視認しづらくなるという問題が生じていた。
【０００５】
例えば、従来の操作釦を構成する多層成形釦において、操作釦は、透光性の高い乳白色の第１の合成樹脂材料であるアクリル樹脂などからなる一次側成形品と、遮光性の黒色の第２の合成樹脂材料であるＡＢＳ樹脂などからなる二次側成形品とで構成されている（例えば、特許文献１参照）。
【先行技術文献】
【特許文献】
【０００６】
【特許文献１】特開平６−３２５６６３号公報（第４頁、第３図）
【発明の概要】
【発明が解決しようとする課題】
【０００７】
特許文献１では、隣接して配置された操作釦の照明が漏れ光となり、当該漏れ光が互いに干渉して変色するため、操作釦に表示される文字や記号等に対して照明ムラが生じ、視認しづらくなるという問題があった。
【０００８】
本発明は、これらの問題を解決するためになされたものであり、操作機能を示す文字や記号等に対する照明ムラを防止することが可能な多層成形釦、多層成形釦の製造方法、多層成形釦用金型、および射出成形装置を提供することを目的とする。
【課題を解決するための手段】
【０００９】
上記の課題を解決するために、本発明による多層成形釦は、両端が開口した筒状を有し、非透過性の成形材料で成形された遮光部と、遮光部の一端に嵌合され、かつ、当該一端における開口を覆うように透過性の成形材料で成形された光導部と、光導部を覆うように半透過性の成形材料で成形され、遮光部の他端側からの光を外部から視認可能に表示する表示部とを備える。
【発明の効果】
【００１０】
本発明によると、両端が開口した筒状を有し、非透過性の成形材料で成形された遮光部と、遮光部の一端に嵌合され、かつ、当該一端における開口を覆うように透過性の成形材料で成形された光導部と、光導部を覆うように半透過性の成形材料で成形され、遮光部の他端側からの光を外部から視認可能に表示する表示部とを備えるため、操作機能を示す文字や記号等に対する照明ムラを防止することが可能となる。
【図面の簡単な説明】
【００１１】
【図１】本発明の実施形態１による多層成形釦の構成の一例を示す図である。
【図２】本発明の実施形態１による多層成形釦の外周部の構成の一例を示す図である。
【図３】本発明の実施形態１による多層成形釦の表示部の構成の一例を示す図である。
【図４】本発明の実施形態１による多層成形釦の光導部の構成の一例を示す図である。
【図５】本発明の実施形態１による多層成形釦の遮光部の構成の一例を示す図である。
【図６】本発明の実施形態１による多層成形釦を実装した場合における構成の一例を示す図である。
【図７】本発明の実施形態１による多層成形釦の遮光部の製造工程を示す図である。
【図８】本発明の実施形態１による多層成形釦の光導部の製造工程を示す図である。
【図９】本発明の実施形態１による多層成形釦の表示部の製造工程を示す図である。
【図１０】本発明の実施形態１による多層成形釦の外周部の製造工程を示す図である。
【図１１】本発明の実施形態１による金型および成形機のレイアウトを示す図である。
【図１２】本発明の実施形態１による金型および成形機のレイアウトを示す図である。
【図１３】本発明の実施形態１による金型および成形機のレイアウトを示す図である。
【図１４】本発明の実施形態２による多層成形釦の構成の一例を示す図である。
【図１５】本発明の実施形態２による多層成形釦の遮光部の構成の一例を示す図である。
【図１６】本発明の実施形態２による多層成形釦の光導部の構成の一例を示す図である。
【図１７】本発明の実施形態２による多層成形釦の表示部の構成の一例を示す図である。
【図１８】本発明の実施形態２による多層成形釦の外周部の一例を示す図である。
【図１９】本発明の実施形態４による多層成形釦の構成の一例を示す図である。
【図２０】本発明の実施形態５による多層成形釦の構成の一例を示す図である。
【図２１】前提技術による多層成形釦の一部を切り欠いて示す斜視図である。
【図２２】前提技術による多層成形釦の使用の一例を示す図である。
【図２３】前提技術による図２２の切断面線Ａ−Ａから見た断面図である。
【図２４】前提技術による多層成形釦の構成と表示の一例を示す図である。
【図２５】前提技術による多層成形釦の構成と表示の一例を示す図である。
【図２６】前提技術による多層成形釦の構成と表示の一例を示す図である。
【図２７】前提技術による多層成形釦を上下に配置した場合における構成の一例を示す図である。
【図２８】前提技術による図２７における表示の一例を示す図である。
【発明を実施するための形態】
【００１２】
本発明の実施形態について、図面に基づいて以下に説明する。
【００１３】
〈前提技術〉
まず、本発明の前提となる技術（特許文献１）について説明する。
【００１４】
以下、前提技術による多層成形釦の構成について、図２１〜２３を用いて説明する。
【００１５】
図２１は、前提技術による操作釦１２１（多層成形釦）の一部を切り欠いて示す斜視図である。図２１に示すように、操作釦１２１は、光量の比較的少ない場所で使用される場合がある車載用の電子機器などに対して、操作性を改善するために一般的に用いられている。操作釦１２１は、透光性の高い乳白色の第１の合成樹脂材料であるアクリル樹脂などから成る一次側成形品１２２と、遮光性の黒色の第２の合成樹脂材料であるＡＢＳ樹脂などから成る二次側成形品１２３とで構成されている。
【００１６】
一次側成形品１２２の前面側には、操作釦１２１が連動している電子機器の機能名を示す一連の文字、記号、たとえば「ＴＡＰＥ」、「ＡＭ」等になぞらえた隆起部１１９ａ，１１９ｂが突出して形成されており、一次側成形品１２２の背面からは角柱状の連動片１２０が延びている。
【００１７】
二次側成形品１２３は、隆起部１１９ａ，１１９ｂの前面１１９ｃ，１１９ｄ以外の残余の部分を覆って形成され、操作釦１２１の前面１２１ａには、隆起部１１９ａ，１１９ｂの前面１１９ｃ，１１９ｄが面一に露出している。また、二次側成形品１２３の外周壁からは、フランジ１１８が外側に向けて突出して形成されている。また、一次側成形品１２２の中央部を分断するように形成された貫通孔１５０には、二次側成形品１２３に一体成形される遮光壁１２６の基端部１２６ａが貫通している。さらに、二次側成形品１２３の外周縁部からは、取付片１４５が一体で形成される。
【００１８】
図２２は、前提技術による操作釦１２１の使用の一例を示す図であり、実際に電子機器１４４に配置された構成図である。図２２に示すように、操作釦１２１は、電子機器１４４の前面板１２７に取付けられている。
【００１９】
図２３は、前提技術による図２２の切断面線Ａ−Ａから見た断面図である。図２３に示すように、操作釦１２１は、取付片１４５の挿通孔１４５ａに前面板１２７の背後側に立設された取付柱１４６が挿通された後、その先端１４６ａが熱溶着されることによって前面板１２７の挿通孔１２７ａに取付けられる。また、取付片１４５において二次側成形品１２３との連結部付近は、薄肉部１４５ｂに形成されており、したがって操作釦１２１は前面板１２７に揺動変位自在に支持される。
【００２０】
電子機器１４４の内部には、発光ダイオード等で実現される光源１２４ａ，１２４ｂ、およびスイッチ１３０などが実装された配線基板１２９が設けられている。連動片１２０は、スイッチ１３０のアクチュエータ１３０ａの上面に当接しており、操作釦１２１が押圧されるとアクチュエータ１３０ａが連動片１２０によって押圧変位され、スイッチ１３０のスイッチング状態が変化される。操作釦１２１は、押圧力を解除する方向のアクチュエータ１３０ａの弾発力によって前面板１２７の挿通孔１２７ａから一定長だけ突出した状態で、フランジ１１８によって抜け止めが行われている。
【００２１】
スイッチ１３０のスイッチング動作によって、光源１２４ａ，１２４ｂは、例えば相互に切換わって点灯される。光源１２４ａ，１２４ｂの前面側には、透孔１２８ａ、１２８ｂが形成された遮光板１２８が設けられている。連動片１２０は、透孔１２８ｂを挿通し、また光源１２４ａ，１２４ｂからの光束は、透孔１２８ａ、１２８ｂを通過して照射光１４２，１４３のように、一次側成形品１２２に対応する背面１２２ｃ、１２２ｄをそれぞれ照射する。
【００２２】
このように、前提技術による操作釦１２１では、光源１２４ａ，１２４ｂからの光束である照射光１４２，１４３は、一次側成形品１２２の背面１２２ｃ，１２２ｄにそれぞれ照射され、背面１２２ｃ，１２２ｄ間を分断するように形成された遮光壁１２６および基端部１２６ａによって、背面１２２ｄ，１２２ｃ側に構造的に漏光されている。
【００２３】
次に、前提技術による多層成形釦の問題点について、図２４〜２８を用いて以下に説明する。
【００２４】
図２４は、前提技術による操作釦１２１（多層成形釦）の構成と表示の一例を示す図である。図２４（ａ）の左側は操作釦１２１を正面から見た図を示し、右側は図２３と同図である。図２４に示すように、隆起部前面１１９ｃを矢視Ｊの方向から視認すると遮光壁１２６を見ることになり、隆起部前面１１９ｃの上部に影のような照明ムラ２００が発生するという問題がある（図２４（ｂ））。また、隆起部前面１１９ｃを矢視Ｋの方向から視認すると一次側成型品１２２を透かして二次側成形品１２３見ることになり、隆起部前面１１９ｃの下部に影のような照明ムラ２００が発生するという問題がある（図２４（ｃ））。
【００２５】
同様に、隆起部前面１１９ｄを矢視Ｌの方向から視認すると角柱状の連動片１２０を透かして二次側成形品１２３見ることになり、隆起部前面１１９ｄ上部に影のような照明ムラ２００が発生するという問題がある（図２４（ｄ））。また、隆起部前面１１９ｄを矢視Ｍの方向から視認すると遮光壁１２６を見ることになり、隆起部前面１１９ｄの下部に影のような照明ムラ２００が発生するという問題がある（図２４（ｅ））。
【００２６】
図２５は、前提技術による操作釦１２１の構成と表示の一例を示す図である。図２５（ａ）の左側は操作釦１２１を正面から見た図を示し、右側は図２３と同図である。図２５に示すように、隆起部前面１１９ｃを矢視Ｎの方向から視認すると遮光板１２８を見ることになり、隆起部前面１１９ｃの上部に影のような照明ムラ２００が発生するという問題がある（図２５（ｂ））。また、隆起部前面１１９ｃを矢視Ｐの方向から視認すると遮光板１２８を見ることになり、隆起部前面１１９ｃの下部に影のような照明ムラ２００が発生するという問題がある（図２５（ｃ））。
【００２７】
同様に、隆起部前面１１９ｄを矢視Ｑの方向から視認すると遮光板１２８を見ることになり、隆起部前面１１９ｄの上部に影のような照明ムラ２００が発生するという問題がある（図２５（ｄ））。また、隆起部前面１１９ｄを矢視Ｒの方向から視認すると遮光板１２８を見ることになり、隆起部前面１１９ｄの下部に影のような照明ムラ２００が発生するという問題がある（図２５（ｅ））。
【００２８】
図２６は、前提技術による操作釦１２１の構成と表示の一例を示す図である。図２６（ａ）の左側は操作釦１２１を正面から見た図を示し、右側は図２３と同図である。図２６（ａ）に示すように、光源１２４ａから照射された光束である照射光１４２のうち、隆起部前面１１９ｃを透過する照射光１４２以外は、一次側成形品１２２の背面１２２ｃや二次側成形品１２３で反射した戻り光２０１ａ，２０１ｂとなり、当該戻り光２０１ａ，２０１ｂが遮光板１２８に当り反射光２０２ａ，２０２ｂとなる。そのため、隆起部前面１１９ｃを矢視Ｓの方向から視認すると遮光板１２８の反射光２０２ａを見ることになり、隆起部前面１１９ｃの上部に影のような照明ムラ２００が発生するという問題がある（図２６（ｂ））。また、隆起部前面１１９ｃを矢視Ｔの方向から視認すると遮光板１２８の反射光２０２ｂを見ることになり、隆起部前面１１９ｃの下部に影のような照明ムラ２００が発生するという問題がある（図２６（ｃ））。
【００２９】
また、光源１２４ｂから照射された光束である照射光１４３のうち、隆起部前面１１９ｄを透過する照射光１４３以外は、一次側成形品１２２の背面１２２ｄや二次側成形品１２３で反射した戻り光２０１ｃ，２０１ｄとなり、当該戻り光２０１ｃ，２０１ｄが遮光板１２８に当り反射光２０２ｃ，２０２ｄとなる。そのため、隆起部前面１１９ｄを矢視Ｕの方向から視認すると遮光板１２８の反射光２０２ｃを見ることになり、隆起部前面１１９ｄの上部に影のような照明ムラ２００が発生するという問題がある（図２６（ｄ））。また、隆起部前面１１９ｄを矢視Ｘの方向から視認すると遮光板１２８の反射光２０２ｄを見ることになり、隆起部前面１１９ｄの下部に影のような照明ムラ２００が発生するという問題がある（図２６（ｅ））。
【００３０】
また、図２６（ａ）に示すように、操作釦１２１と遮光板１２８との間に隙間が存在するため、一次側成形品１２２の背面１２２ｃや二次側成形品１２３で反射した戻り光２０１ａ，２０１ｂが遮光板１２８に当り反射光２０２ａ，２０２ｂとなり、当該反射光２０２ａ，２０２ｂは漏れ光２０３ａ，２０３ｂとして操作釦１２１の周囲に発生する。また、一時側成型品１２２の背面１２２ｄや二次側成型品１２３で反射した戻り光２０１ｃ，２０１ｄが遮光板１２８に当り反射光２０２ｃ，２０２ｄとなり、反射光２０２ｃは連動片１２０を透過した漏れ光０３ｄとして操作釦１２１の周辺に発生し、反射光２０２ｄは漏れ光２０３ｃ，２０３ｄとして操作釦１２１の周囲に発生する。このように、操作釦１２１の周囲に漏れ光が発生するという問題がある。
【００３１】
また、前提技術による操作釦１２１は、図２３に示すような構成であるため、光源１２４ａから照射された光束である照射光１４２を赤色として隆起部前面１１９ｃを透過させれば隆起部前面１１９ｃを赤色として表示させ、光源１２４ｂから照射された光束である照射光１４３を青色として隆起部前面１１９ｄを透過させれば隆起部前面１１９ｄを青色として表示させることが可能である。しかし、照射光１４２を赤色とし、照射光１４３を青色とした場合は、上記の図２４〜２６にて示されるような問題が顕著になる。また、上述のように、前提技術では、単数の操作釦１２１の使用に限定されている。このような前提技術における問題点について、図２７を用いて以下に説明する。
【００３２】
図２７は、前提技術による多層成形釦（操作釦１２１，２０６）を上下に複数配置し、操作機能を示す文字や記号等を照明する照明色を４色調使用した場合における構成の一例を示す図である。また、図２８は、前提技術による図２７における表示の一例を示す図である。
【００３３】
図２７に示すように、紙面上下方向に配置された操作釦１２１，２０６の各々は、上側に配置された操作釦１２１の光源１２４ａから照射された光束である照射光１４２を赤色として隆起部前面１１９ｃを透過させて隆起部前面１１９ｃを赤色として照明し、光源１２４ｂから照射された光束である照射光１４３を青色として隆起部前面１１９ｄを透過させて隆起部前面１１９ｄを青色として照明している。また、下側に配置された操作釦２０６の光源１２４ｃから照射された光束である照射光１４２ａを白色として隆起部前面１１９ｅを透過させて隆起部前面１１９ｅを白色として照明し、光源１２４ｄから照射された光束である照射光１４３ａを橙色として隆起部前面１１９ｆを透過させて隆起部前面１１９ｆを橙色として照明している。
【００３４】
上述の図２６を用いて説明したように、図２７に示すように、操作釦１２１の光源１２４ａから照射された光束である赤色の照射光１４２のうち、隆起部前面１１９ｃを透過する照射光１４２以外は、一次側成形品１２２の背面１２２ｃや二次側成形品１２３で反射した赤色の戻り光２０１ａとなり、当該戻り光２０１ａが遮光板１２８に当り赤色の反射光２０２ａとなる。前提技術による操作釦（多層成形釦）では、操作釦１２１と遮光板１２８との間に隙間が存在するため、赤色の反射光２０２ａが原因として赤色の漏れ光２０３ｂが発生する。一方、操作釦１２１の光源１２４ｂから照射された光束である青色の照射光１４３のうち、隆起部前面１１９ｄを透過する照射光１４３以外は、一次側成形品１２２の背面１２２ｄや二次側成型品１２３で反射した青色の戻り光２０１ｄとなり、当該戻り光２０１ｄが遮光板１２８に当り青色の反射光２０２ｄとなる。この青色の反射光２０２ｄが原因として青色の漏れ光が発生する。
【００３５】
前提技術による操作釦では、図２７に示すように、赤色の反射光２０２ａと青色の反射光２０２ｄとを遮光壁１２６で遮光することが出来ないため、遮光板１２８上の反射光は、赤色と青色とが混色した混色反射光２０２ｅとなる。そのため、矢視ＡＡの方向から隆起部前面１１９ｃを視認し、矢視ＤＤの方向から隆起部前面１１９ｄを視認すると、隆起部前面１１９ｃの上部に赤色と青色が混色したような照明ムラ２００ａが発生し（図２８（ａ））、隆起部前面１１９ｄの下部に赤色と青色が混色したような照明ムラ２００ａが発生する（図２８（ｄ））という問題がある。
【００３６】
また、操作釦１２１の光源１２４ｂより照射された光束である青色の照射光１４３のうち、隆起部前面１１９ｄを透過する照射光１４３以外は、一次側成形品１２２の背面１２２ｄで反射した青色の戻り光２０１ｃが遮光板１２８に当り青色の反射光２０２ｃとなり、当該青色の反射光２０２ｃが連動片１２０を透過して青色の漏れ光２０３ｃとして操作釦１２１の周囲に発生する。一方、操作釦２０６の光源１２４ｃから照射された光束である白色の照射光１４２ａのうち、隆起部前面１１９ｅを透過する白色の照射光１４２ａ以外は、一次側成形品１２２の背面１２２ｅで反射した白色の戻り光２０１ｆが遮光板１２８に当り白色の反射光２０２ｆとなり、当該白色の反射光２０２ｆが白色の漏れ光２０３ｇとして操作釦２０６の周囲に発生し、この白色の漏れ光２０３ｇと青色の漏れ光２０３ｃとが合成して薄青色の合色光２０５となる。そのため、矢視ＣＣの方向から隆起部前面１１９ｄを視認すると隆起部前面１１９ｄ上部に薄青色のような照明ムラ２００ｂが発生するという問題がある（図２８（ｃ））。
【００３７】
操作釦１２１の光源１２４ａから照射された光束である赤色の照射光１４２のうち、隆起部前面１１９ｃを透過する赤色の照射光１４２以外は、一次側成形品１２２の背面１２２ｃで反射した赤色の戻り光２０１ｂとなり、当該戻り光２０１ｂが遮光板１２８に当り赤色の反射光２０２ｂとなり赤色の漏れ光２０３ｂが発生する。上述の通り、操作釦１２１と遮光板１２８との間に隙間が存在するため、図２７に示すような操作釦の構成では、赤色、青色、白色、および橙色の全色が影響した迷光２０４が発生する。そのため、操作釦１２１を矢視ＢＢの方向から隆起部前面１１９ｃを視認すると、隆起部前面１１９ｃの下部に赤色と迷光２０４とが混色した影のような照明ムラ２００が発生するという問題がある（図２８（ｂ））。
【００３８】
同様に、操作釦２０６の光源１２４ｃから照射された光束である白色の照射光１４２ａのうち、隆起部前面１１９ｅを透過する照射光１４２ａ以外は、一次側成形品１２２の背面１２２ｅや二次側成形品１２３で反射した白色の戻り光２０１ｇとなり、当該戻り光２０１ｇが遮光板１２８に当り白色の反射光となる。図２７に示される構成では、操作釦２０６と遮光板１２８との間に隙間が存在するため、白色の反射光が原因となって白色の漏れ光が発生する。一方、操作釦２０６の光源１２４ｄから照射された光束である橙色の照射光１４３ａのうち、隆起部前面１１９ｆを透過する照射光１４３ａ以外は、一次側成形品１２２の背面１２２ｆや二次側成型品１２３で反射した橙色の戻り光２０１ｊとなり、当該戻り光２０１ｊが遮光板１２８に当り橙色の反射光となる。この橙色の反射光が原因として橙色の漏れ光が発生する。図２７に示すように、上記の白色の反射光と橙色の反射光とを遮光壁１２６で遮光することが出来ないため、遮光板１２８上の反射光は、白色と橙色が混色した混色反射光２０２ｇとなる。そのため、矢視ＥＥの方向から隆起部前面１１９ｅを視認し、矢視ＨＨから隆起部前面１１９ｆを視認すると、隆起部前面１１９ｅの上部に白色と橙色が混色したような薄橙色の照明ムラ２００ｃが発生し（図２８（ｅ））、隆起部前面１１９ｆの下部に白色と橙色が混色したような薄橙色の照明ムラ２００ｃが発生する（図２８（ｈ））という問題がある。
【００３９】
また、操作釦１２１の光源１２４ｂから照射された光束である青色の照射光１４３のうち、隆起部前面１１９ｄを透過する照射光１４３以外は、一次側成形品１２２の背面１２２ｄに反射した青色の戻り光２０１ｃが遮光板１２８に当たって青色の反射光２０２ｃとなり、当該青色の反射光２０２ｃが連動片１２０を透過した青色の漏れ光２０３ｃとして操作釦１２１の周囲に発生する。一方、操作釦２０６の光源１２４ｃから照射された光束である白色の照射光１４２ａのうち、隆起部前面１１９ｅを透過する白色の照射光１４２ａ以外は、一次側成形品１２２の背面１２２ｄに反射した白色の戻り光２０１ｆが遮光板１２８に当り白色の反射光２０２ｆとなり、当該白色の反射光２０２ｆが白色の漏れ光２０３ｇとして操作釦２０６の周囲に発生する。上記の青色の漏れ光２０３ｃと白色の漏れ光２０３ｇとが合成して薄青色の迷光２０４が発生する。そのため、矢視ＦＦの方向から隆起部前面１１９ｅを視認すると、隆起部前面１１９ｅ下部に薄青色のような照明ムラ２００ｂが発生するという問題がある（図２８（ｆ））。
【００４０】
また、操作釦２０６の光源１２４ｄから照射された光束である橙色の照射光１４３ａのうち、隆起部前面１１９ｆを透過する照射光１４３ａ以外は、一次側成形品１２２の背面１２２ｆで反射した橙色の戻り光２０１ｈとなり、当該戻り光２０１ｈが遮光板１２８に当り橙色の反射光２０２ｈとなる。この反射光２０２ｈが原因となって橙色の漏れ光２０３ｈが発生する。橙色の漏れ光２０３ｈは連動片１２０を透過して操作釦２０６の周囲に発生する。そして、連動片１２０を透過した橙色の漏れ光２０３ｈと、上述の迷光２０４とが連動片１２０を再透過して溜り光である合色光２０５を発生する。そのため、矢視ＧＧから隆起部前面１１９ｆを視認すると、隆起部前面１１９ｆの上部に橙色と迷光２０４とが混色した影のような照明ムラ２００が発生するという問題がある（図２８（ｇ））。
【００４１】
上記より、前提技術による操作釦（多層成形釦）では、光源の光束の強弱に関らず、隣接して配置された操作釦の照明が漏れ光となり、当該漏れ光が互いに干渉して変色するため、操作釦に表示される文字や記号等に対して照明ムラが生じ、視認しづらくなるという問題があった。
【００４２】
本発明は、これらの問題を解決するためになされたものであり、以下に詳細について説明する。
【００４３】
〈実施形態１〉
まず、本実施形態１による操作釦５（多層成形釦）の構成について説明する。
【００４４】
図１は、本実施形態１による操作釦５の構成の一例を示す図である。図１（ａ）は操作釦５の構成を示し、図１（ｂ）は照明の動作を示した図である。また、断面Ａ−Ａおよび断面Ｂ−Ｂの各々は、当該各断面での操作釦５の断面図を示している。
【００４５】
図１に示すように、本実施形態１による操作釦５は、当該操作釦５の意匠外観部分である外周部１と、操作機能を示す文字や記号等の表示部分である表示部２と、光源６から照射された光束７を均一化する光導部３と、漏れ光を遮光する遮光部４とによって一体構成されている。
【００４６】
外周部１は、表示部２を覆うように黒色の非透過性の成形材料で成形されている。また、表示部２の一部が露出するように穴文字部１ａが形成されている（図２参照）。
【００４７】
表示部２は、光導部３を覆うように乳白色の半透過性の成形材料で成形され、光源６からの光を外部から視認可能に表示する。また、表示部２は、文字や記号等の表示部分である文字部２ａと、光源の光束を反射する反射壁２ｂと、光源の光束を反射する反射面２ｃとを備えている（図３参照）。
【００４８】
光導部３は、遮光部４の一端に嵌合され、かつ、当該一端における開口を覆うように透明な透過性の成形材料で成形されている。また、光導部３は、光源６から照射された光束７を受光する受光部３ａを備えている（図４参照）。
【００４９】
遮光部４は、両端が開口した筒状を有し、黒色の非透過性の成形材料で成形されている。また、遮光部４は、漏れ光を遮光するとともに機能切換用スイッチ（後述）を押すリブ部４ａと、成形時に光導部３と密着され受光部３ａを保持する穴４ｂとを備える（図５参照）。
【００５０】
図１（ｂ）に示すように、光源６から照射された光束７は、遮光部４に設けられたリブ４ａによって光束７の漏れ光７ａを遮光されながら、遮光部４の穴４ｂに保持された受光部３ａを介して光導部３に入射する。光導部３の周囲には、外周部１によって光束７が減光されないように、表示部２に設けられた反射壁２ｂが囲むように形成されている。また、光導部３の上部も同様に、外周部１によって減光されないように、表示部２に設けられた反射面２ｃが囲むように形成されており、反射面２ｃの上部には文字部２ａが設けられている。
【００５１】
光導部３に入射した光束７は、表示部２に設けられた反射面２ｃ上の文字部２ａを照明する。このとき、反射面２ｃで反射された光束７の戻り光７ｃは、光導部３に再入射して光導部３内の光量を増加させる。また、反射壁２ｂで反射した光束７の反射光７ｂも同様に、光導部３に再入射して光導部３内の光量を増加させる。そして、光源６から照射された光束７と、光束の反射光７ｂと、光束の戻り光７ｃとの作用によって、表示部２に設けられた反射面２ｃに光源の照明色と同じ色調の光束の溜り光７ｃが発生する。そのため、矢視Ｎまたは矢視Ｐから文字部２ａを視認すると、反射面２ｃの光源の照明色と同じ色調の光束の溜り光７ｃを視認することができ、照明ムラのない文字部２ａを視認することができるという効果が得られる。また、遮光部４に設けられたリブ部４ａは、操作釦５の周囲に発生した周辺の漏れ光７ｅの光導部３への入射を防止しているため、より大きな効果が得られる。
【００５２】
なお、図１において、文字部２ａに合わせて形成された外周部１の開口部の面と、文字部２ａの外周部１側の面とは平面（面一）であるとして説明したが、文字部２ａの外周部１側の面が凹Ｒ面あるいは凸Ｒ面であってもよく、また、外周部１の開口部の面が凹Ｒ面あるいは凸Ｒ面であっても上記と同様の効果が得られる。
【００５３】
次に、本実施形態１による操作釦５の実装について説明する。
【００５４】
図６は、本発明の実施形態１による操作釦５を実装した場合における構成の一例を示す図である。図６に示すように、操作釦５は図１に示す構成と同じであり、表示部２ａは「Ｈ」の文字が示されている。また、操作釦５ｂも図１に示す構成と同じであり、表示部２ａは「Ｌ」の文字が示されている。
【００５５】
機器の外観である意匠外観部８は、操作釦挿入穴８ａと、意匠外観部裏面８ｂと、押さえ部材取付用ボス８ｃとを設けている。操作釦５，５ａの各々は、操作釦挿入穴８ａに挿入され、操作釦５，５ａの外周部１が意匠外観部８の意匠外観部裏面８ｂに当接する位置に初期設定されている。
【００５６】
バネ部材９は、操作釦５，５ａの遮光部４に設けられているリブ４ａをガイドとして、釦操作によって指押（押下）された操作釦５，５ａを初期の設定位置まで復帰させるための非透過性の発泡部材等である。
【００５７】
押さえ部材１０は、バネ部材９を押えて意匠外観部８に取付けるために設けられており、基板取付用ボス１０ａを備えている。
【００５８】
スイッチ１２は、基板１１に設けられた機能切換用のスイッチである。また、基板１１には光源６も設けられている。
【００５９】
取付ネジ１３は、バネ部材９を押えて意匠外観部８に取付けるための押さえ部材１０を取付け、また、押さえ部材１０に基板１１を取付けるために設けられている。
【００６０】
上記のように実装されている操作釦５ａを図中の白抜き矢印の方向（紙面下方向）に押下すると、操作釦５ａのリブ４ａが基板１１に設けられたスイッチ１２を押圧して機能の切換を行う。また、操作釦５ａの押下を開放すると、バネ部材９が操作釦５ａを押し上げて初期設定位置に復帰させる。図６に示すように実装された操作釦５では、図１（ｂ）にて説明したように、表示部２の反射面２ｃに光源の照明色と同じ色調の光束７の溜り光７ｃが発生するため、照明ムラのない文字部２ａを視認することができるという効果が得られる。また、遮光部４に設けられたリブ部４ａは、操作釦５，５ａの周囲に発生した周辺の漏れ光７ｅの光導部３への入射を防止しているため、より大きな効果が得られる。
【００６１】
次に、本実施形態１による金型を用いた操作釦５（多層成形釦）の製造方法について説明する。
【００６２】
図７は、本実施形態１による遮光部４の製造工程を示す図である。図７に示すように、遮光部４は、コア部を構成する金型（以下、コア部金型という）であるコア部金型１４（コア部金型）と、キャビ部を構成する金型（以下、キャビ部金型という）であるキャビ部金型１５（第１のキャビ部金型）とを用いて成形される。図７（ａ）に示すように、コア部金型１４とキャビ金型部１５とを互いに接触（型締め）した状態で、キャビ部金型１５のランナー１５ａからゲート４ｃを介して黒色の非透過性の成形材料が充填され、遮光部４が成形される。図７（ａ）にて充填が完了すると、図７（ｂ）に示すように、コア部金型１４とキャビ部金型１５とを離間させる。このとき、コア部金型１４には遮光部４が残った状態となる。
【００６３】
図８は、本実施形態１による光導部３の製造工程を示す図である。図８に示すように、光導部３は、コア部金型１４とキャビ部金型１６（第２のキャビ部金型）とを用いて成形される。図８（ａ）に示すように、図７に示す工程の後、コア部金型１４に遮光部４が残った状態で、当該コア部金型１４とキャビ部金型１６とを互いに接触（型締め）した状態で、キャビ部金型１６のランナー１６ａから遮光部４のゲート４ｃの上の光導部３のゲート３ｂを介して透明な透過性の成形材料が充填され、遮光部４の上に光導部３が一体成形される。図８（ａ）にて充填が完了すると、図８（ｂ）に示すように、コア部金型１４とキャビ部金型１６とを離間させる。このとき、コア部金型１４には遮光部４および光導部３が残った状態となる。なお、図８（ｃ）は、図８（ｂ）のＸ部を紙面正面から見た図であり、図８（ｄ）は、図８（ｂ）のＸ部を紙面右側から見た図である。
【００６４】
図９は、本実施形態１による表示部２の製造工程を示す図である。図９に示すように、表示部２は、コア部金型１４とキャビ部金型１７（第３のキャビ部金型）とを用いて成形される。図９（ａ）に示すように、図８に示す工程の後、コア部金型１４に遮光部４および光導部３が残った状態で、当該コア部金型１４とキャビ部金型１７とを互いに接触（型締め）した状態で、キャビ部金型１７のランナー１７ａから光導部３のゲート３ｂの上の表示部２のピンゲート２ｄを介して乳白色の半透過性の成形材料が充填され、光導部３の上に表示部２が一体成形される。図９（ａ）にて充填が完了すると、図９（ｂ）に示すように、コア部金型１４とキャビ部金型１７とを離間させる。このとき、コア部金型１４には遮光部４、光導部３、および表示部２が残った状態となる。なお、図９（ｃ）は、図９（ｂ）のＹ部を紙面正面から見た図であり、図９（ｄ）は、図９（ｂ）のＹ部を紙面右側から見た図である。
【００６５】
図１０は、本実施形態１による外周部１の製造工程を示す図である。図１０に示すように、外周部１は、コア部金型１４とキャビ部金型１８（第４のキャビ部金型）とを用いて成形される。図１０（ａ）に示すように、図９に示す工程の後、コア部金型１４に遮光部４、光導部３、および表示部２が残った状態で、当該コア部金型１４とキャビ部金型１８とを互いに接触（型締め）した状態で、キャビ部金型１８のランナー１８ａから表示部２のピンゲート２ｄの上の外周部１のピンゲート１ｂを介して黒色の非透過性の成形材料が充填され、表示部２の上に外周部１が一体成形される。図１０（ａ）にて充填が完了すると、図１０（ｂ）に示すように、コア部金型１４とキャビ部金型１８とを離間させる。このとき、コア部金型１４には遮光部４、光導部３、表示部２、および外周部１が残った状態となる。なお、図１０（ｃ）は、図１０（ｂ）のＺ部を紙面正面から見た図であり、図１０（ｄ）は、図１０（ｂ）のＺ部を紙面右側から見た図である。
【００６６】
上記の工程（図７〜１０）を行うことによって、操作釦５の成形のベースとなる遮光部４、光導部３、表示部２、および外周部１を連続して成形することができる。
【００６７】
次に、上記の金型を備えた射出成形装置によって操作釦５（多層成形釦）を連続して製造する方法について、図１１〜１３を用いて説明する。図１１は、本実施形態１による遮光部、光導部、表示部、および外周部を連続して成形するためのコア部金型のレイアウトを示す図である。また、図１２は、本実施形態１によるキャビ部金型のレイアウトを示す図である。また、図１３は、本実施形態１による射出成形装置を示す図であり、図１１の矢視ａａの方向から見たレイアウトを示している。
【００６８】
図１１に示すように、コア部金型１４ａ〜１４ｄは、遮光部４を成形するための金型であり、図７〜図１０に示すコア部金型１４と同一であるが、ここでは説明容易のために各々を区別して図示している。ターンテーブル１９には、遮光部、光導部、表示部、および外周部の各々の製造工程（図７〜図１０の各工程）に対応するコア部金型１４ａ〜１４ｄが固定して配置されている。ターンテーブル１９は、回転移動が可能であり、上記各工程が完了すると回転矢印ｆｆの方向に回転して、コア部金型１４ａ〜１４ｄを各々次の工程の所定位置に移動させる。
【００６９】
図１２に示すように、キャビ部金型１５〜１８は、遮光部、光導部、表示部、および外周部の各々の製造工程（図７〜図１０の各工程）に対応している。
【００７０】
図１３に示すように、キャビ部金型１５〜１８は、成形機２０〜２３の各々に固定されている。本実施形態１による射出成形装置は、ターンテーブル１９に固定されたコア部金型１４ａ〜１４ｄと、成形機２０〜２３の各々に固定されたキャビ部金型１５〜１８とを備えている。成形機２０は、遮光部４を成形するための黒色の非透過性の成形材料を有し、成形機２１は、光導部３を成形するための透明な透過性の成形材料を有している。また、成形機２２は、表示部２を成形するための乳白色の半透過性の成形材料を有し、成形機２３は、外周部１を成形するための黒色の非透過性の成形材料を有している。
【００７１】
上記の射出成形装置において、キャビ部金型１５〜１８の各々は、矢印ｇｇの方向に、単独あるいは全体が型締めされる。以下、射出成形装置の動作について説明する。
【００７２】
まず、第１段階として、コア部金型１４ａとキャビ部金型１５とを型締めし、遮光部４を成形するための黒色の非透過性の成形材料を有する成形機２０によってコア部金型１４ａ上に遮光部４を成形する。成形が完了すると、キャビ部金型１５は、型締めから開放されて成形機２０と共に上昇して初期位置に戻る。キャビ部金型１５および成形機２０が初期位置に戻ると、ターンテーブル１９は回転矢印ｆｆの方向に回転し、コア部金型１４ａを次工程の成形のためにキャビ部金型１６の所定位置に移動させる。
【００７３】
次に、第２段階として、コア部金型１４ａとキャビ部金型１６とを型締めし、光導部３を成形するための透明な透過性の成形材料を有する成形機２１によってコア部金型１４ａ上に成形された遮光部４の上に光導部３を成形する。同時に、コア部金型１４ｂはキャビ部金型１５に対応する所定位置に移動しているので、コア部金型１４ｂとキャビ部金型１５とを型締めし、遮光部４を成形するための黒色の非透過性の成形材料を有する成形機２０によってコア部金型１４ｂ上に遮光部４を成形することができる。これらの成形完了後、コア部金型１４ａとキャビ部金型１６との型締め、およびコア部金型１４ｂとキャビ部金型１５との型締めを各々開放し、キャビ部金型１５および成形機２０、キャビ部金型１６および成形機２１の各々が上昇して初期位置に戻ると、ターンテーブル１９は回転矢印ｆｆの方向に回転し、コア部金型１４ａを次工程の成形のためにキャビ部金型１７の所定位置に移動させると共に、コア部金型１４ｂを次工程の成形のためにキャビ部金型１６の所定位置に移動させ、コア部金型１４ｃをキャビ部金型１５に対応する所定位置に移動させる。
【００７４】
次に、第３段階として、コア部金型１４ａとキャビ部金型１７とを型締めし、表示部２を成形するための乳白色の半透過性の成形材料を有する成形機２２によってコア部金型１４ａ上に順に成形された遮光部４および光導部３の上に表示部２を成形する。同時に、コア部金型１４ｂとキャビ部金型１６とを型締めし、光導部３を成形するための透明な透過性の成形材料を有する成形機２１によってコア部金型１４ｂ上に成形された遮光部４の上に光導部３を成形する。また、同時に、コア部金型１４ｃとキャビ部金型１５とを型締めし、遮光部４を成形するための黒色の非透過性の成形材料を有する成形機２０によってコア部金型１４ｃ上に遮光部４を成形する。
【００７５】
上記の成形完了後、コア部金型１４ａとキャビ部金型１７との型締め、コア部金型１４ｂとキャビ部金型１６との型締め、およびコア部金型１４ｃとキャビ部金型１５との型締めを各々開放し、キャビ部金型１７および成形機２２、キャビ部金型１６および成形機２１、キャビ部金型１５および成形機２０の各々が上昇して初期位置に戻ると、ターンテーブル１９は回転矢印ｆｆの方向に回転し、コア部金型１４ａを次工程の成形のためにキャビ部金型１８の所定位置に移動させると共に、コア部金型１４ｂを次工程の成形のためにキャビ部金型１７の所定位置に移動させ、コア部金型１４ｃを次工程の成形のためにキャビ部金型１６の所定位置に移動させ、コア部金型１４ｄをキャビ部金型１５に対応する所定位置に移動させる。
【００７６】
次に、第４段階として、コア部金型１４ａとキャビ部金型１８とを型締めし、外周部１を成形するための黒色の非透過性の成形材料を有する成形機２３によってコア部金型１４ａ上に順に成形された遮光部４、光導部３、および表示部２の上に外周部１を成形する。同時に、コア部金型１４ｂとキャビ部金型１７とを型締めし、表示部２を成形するための乳白色の半透過性の成形材料を有する成形機２２によってコア部金型１４ｂ上に順に成形された遮光部４および光導部３の上に表示部２を成形する。また、同時に、コア部金型１４ｃとキャビ部金型１６とを型締めし、光導部３を成形するための透明な透過性の成形材料を有する成形機２１によってコア部金型１４ｃ上に成形された遮光部４の上に光導部３を成形する。また、同時に、コア部金型１４ｄとキャビ部金型１５とを型締めし、遮光部４を成形するための黒色の非透過性の成形材料を有する成形機２０によってコア部金型１４ｄ上に遮光部４を成形する。
【００７７】
上記の成形完了後、コア部金型１４ａとキャビ部金型１８との型締め、コア部金型１４ｂとキャビ部金型１７との型締め、コア部金型１４ｃとキャビ部金型１６との型締め、およびコア部金型１４ｄとキャビ部金型１５との型締めを各々開放し、キャビ部金型１８および成形機２３、キャビ部金型１７および成形機２２、キャビ部金型１６および成形機２１、キャビ部金型１５および成形機２０の各々が上昇して初期位置に戻った時に、コア部金型１４ａの上にある四層に成形された操作釦５をコア部金型１４ａから取り出す。操作釦をコア部金型１４ａから取り出した後、ターンテーブル１９を回転矢印ｆｆの方向に回転させ、コア部金型１４ａをキャビ部金型１５に対応する所定位置に移動させると共に、コア部金型１４ｂを次工程の成形のためにキャビ部金型１８の所定位置に移動させ、コア部金型１４ｃを次工程の成形のためにキャビ部金型１７の所定位置に移動させ、コア部金型１４ｄを次工程の成形のためにキャビ部金型１６の所定位置に移動させる。
【００７８】
次に、第４段階として、操作釦５をコア部金型１４ａから取り出した後のコア部金型１４ａ上には何もない状態である。コア部金型１４ｂ上には遮光部４、光導部３、および表示部２が成形された状態で、コア部金型１４ｃ上には遮光部４および光導部３が成形された状態で、コア部金型１４ｄ上には遮光部４が成形された状態であるので、上記の第１段階の成形、第２段階の成形、および第３段階の成形を一度に連続成形して継続すれば、四層から成る操作釦５を連続的に得る（製造する）ことができる。
【００７９】
以上のことから、本実施形態１によれば、操作機能を示す文字や記号等に対する照明ムラを防止することができ、従来問題となっていた、操作釦自体による影のような照明ムラ、他の構成部品による影のような照明ムラ、漏れ光による影のような照明ムラ、他の光源からの照明色が要因となる合成光による照明ムラを防止することが可能な操作釦（多層成形釦）を得ることができる。また、図７〜１０に示す多層成形釦用金型、および、図１１〜１３に示す射出成形装置を用いることによって、操作釦（多層成形釦）を連続的に製造することができる。
【００８０】
〈実施形態２〉
実施形態１では、操作機能を切り換える操作釦は単独で構成されるものとして説明した。本実施形態２では、実施形態１の操作釦を連結した構成で多操作機能の切り換えが可能な操作釦として４連釦（多層成形４連釦）とすることを特徴としている。
【００８１】
図１４は、本発明の実施形態２による４連釦２４の構成の一例を示す図である。図１４に示すように、本実施形態２では、操作釦（多層成形釦）を４個（上釦２４ａ、下釦２４ｂ、左釦２４ｃ、右釦２４ｄ）配置して一体構成された４連釦２４としている。上釦２４ａの文字部２ａには上向き矢印が示され、下釦２４ｂの文字部２ａには下向き矢印が示され、左釦２４ｃの文字部２ａには左向き矢印が示され、右釦２４ｄの文字部２ａには右向き矢印が示されている。上釦２４ａ、下釦２４ｂ、左釦２４ｃ、および右釦２４ｄの各々の構成は、実施形態１による操作釦５の構成と同様であるため、ここでは説明を省略する。
【００８２】
なお、図１４（ａ）の断面Ａ-Ａおよび断面Ｂ-Ｂの各々は、４連釦２４を断面した図である。また、図１４（ｂ）は、光源６とスイッチ１２ａ〜１２ｄとの位置関係を示しており、上釦２４ａのスイッチ１２ａは光源６に対して紙面上側に位置し、下釦２４ｂのスイッチ１２ｂは光源６に対して紙面下側に位置し、左釦２４ｃのスイッチ１２ｃは光源６に対して紙面左側に位置し、右釦２４ｄのスイッチ１２ｄは光源６に対して紙面右側に位置している。
【００８３】
図１４（ａ）に示すように、光源６から照射された光束７は、遮光部４に設けられたリブ４ａによって光束７の漏れ光７ａを遮光されながら、遮光部４の穴４ｂに保持された受光部３ａ介して光導部３に入射する。光導部３の周囲には、外周部１によって光束７が減光されないように、表示部２に設けられた反射壁２ｂが囲むように形成されている。また、光導部３の上部も同様に、外周部１によって減光されないように、表示部２に設けられた反射面２ｃが囲むように形成されており、反射面２ｃの上部には文字部２ａが設けられている。
【００８４】
光導部３に入射した光束７は、表示部２に設けられた反射面２ｃ上の表示部２ａを照明する。このとき、反射面２ｃで反射された光束７の戻り光７ｃは、光導部３に再入射して光導部３内の光量を増加させる。また、反射壁２ｂで反射した光束７の反射光７ｂも同様に、光導部３に再入射して光導部３内の光量を増加させる。そして、光源６から照射された光束７と、光束の反射光７ｂと、光束の戻り光７ｃとの作用によって、表示部２に設けられた反射面２ｃに光源の照明色と同じ色調の光束の溜り光７ｃが発生する。そのため、矢視Ｎまたは矢視Ｐから文字部２ａを視認すると、反射面２ｃの光源の照明色と同じ色調の光束の溜り光７ｃを視認することができ、照明ムラのない文字部２ａを視認することができるという効果が得られる。また、遮光部４に設けられたリブ部４ａは、操作釦５の周囲に発生した周辺の漏れ光７ｅの光導部３への入射を防止しているため、より大きな効果が得られる。
【００８５】
次に、一体構成された４連釦２４の構成および製造方法について説明する。
【００８６】
図１５は、本実施形態２による遮光部４の構成の一例を示す図である。図１５に示すように、遮光部４は、成形時に成形材料を充填するピンゲート４ｄを有しており、ピンゲート４ｄから成形材料を充填することによって、遮光部４が４個連結した状態で成形される。なお、その他の遮光部４の構成は、実施形態１と同様である（図５参照）。
【００８７】
図１６は、本実施形態２による光導部３の構成の一例を示す図である。図１６（ａ）に示すように、光導部３は、成形時に成形材料を充填するピンゲート３ｃを有しており、ピンゲート３ｃから成形材料を充填することによって、４個連結して成形された遮光部４上に光導部３が４個連結した状態で成形される。図１６（ｂ）は、図１６（ａ）のＧ部の拡大図である。図１６（ｂ）に示すように、光導部３のピンゲート３ｃは、遮光部４のピンゲート４ｄの真上に位置している。なお、その他の光導部３の構成は、実施形態１と同様である（図４参照）。
【００８８】
図１７は、本実施形態２による表示部２の構成の一例を示す図である。図１７（ａ）に示すように、表示部２は、成形時に成形材料を充填するピンゲート２ｅを有しており、ピンゲート２ｅから成形材料を充填することによって、４個連結して成形された光導部３上に表示部２が４個連結した状態で成形される。図１７（ｂ）は、図１７（ａ）のＦ部の拡大図である。図１７（ｂ）に示すように、表示部２のピンゲート２ｅは、遮光部４のピンゲート４ｄおよび光導部３のピンゲート３ｃの真上に位置している。なお、その他の表示部２の構成は、実施形態１と同様である（図３参照）。
【００８９】
図１８は、本実施形態２による外周部１の一例を示す図である。図１８（ａ）に示すように、外周部１は、成形時に成形材料を充填するピンゲート１ｃを有しており、ピンゲート１ｃから成形材料を充填することによって、４個連結して成形された表示部２上に外周部１が４個連結した状態で成形される。図１８（ｂ）は、図１８（ａ）のＪ部の拡大図である。図１８（ｂ）に示すように、外周部１のピンゲート１ｃは、遮光部４のピンゲート４ｄ、光導部３のピンゲート３ｃ、および表示部２のピンゲート２ｅの真上に位置している。なお、その他の表示部２の構成は、実施形態１と同様である（図２参照）。
【００９０】
上記の図１５〜１８に示すような製造工程を経ることによって、４連釦２４が成形（製造）される。また、本実施形態２による４連釦２４は、実施形態１にて用いた金型（図７〜１０）や、当該金型を備えた射出成形装置（図１１〜１３）を用いることによって、各工程で４個の金型が必要となるため装置が大型化するが、実施形態１のように連続して製造することができる。
【００９１】
以上のことから、本実施形態２によれば、実施形態１による効果に加えて、多操作機能の切り換えが可能な操作釦を得ることができる。なお、本実施形態２では、４連釦２４の各釦を図１４に示すような配置としたが、このような配置に限らず、４連釦を上側の横方向に２個、かつ、下側の横方向に２個配置して構成してもよい。
【００９２】
〈実施形態３〉
実施形態２では、実施形態１による操作釦（図１参照）を４個配置した４連釦として説明した。本実施形態３では、４連釦に限らず、実施形態１の操作釦を複数並べて配置した多連釦とすることを特徴としている。
【００９３】
多連釦の一例としては、操作釦（多層成形釦）を横方向に２個配列した横２連釦（多層成形横２連釦）（例えば、図６参照）や、操作釦を縦方向に２個配置した縦２連釦（多層成形縦２連釦）がある。
【００９４】
また、他の例としては、操作釦を上側に１個、かつ、下側の横方向に２個配置した△形３連釦（多層成形三角形３連釦）や、操作釦を上側の横方向に２個、かつ、下側に１個配置した▽形３連釦（多層成形逆三角形３連釦）がある。
【００９５】
以上のことから、本実施形態３によれば、操作釦を複数並べて配置した多連釦としても、実施形態１および２と同様の効果を得ることができる。
【００９６】
〈実施形態４〉
実施形態１では、表示部２の文字部２ａの周囲を外周部１で覆うように成形し、文字部２ａを照明によって表示する操作釦５について説明した。本実施形態４では、外周部１および表示部２の文字部２ａを備えない操作釦とすることを特徴としている。
【００９７】
図１９は、本実施形態４による操作釦５（多層成形釦）の構成の一例を示す図である。図１９（ａ）に示すように、本実施形態４による操作釦５は、実施形態１による操作釦５（図１参照）から外周部１および表示部２の文字部２ａを除いた構成となっている。その他の構成は、実施形態１と同様であるため、ここでは説明を省略する。
【００９８】
図１９（ｂ）に示すように、光源６から照射された光束７は、遮光部４に設けられたリブ４ａによって光束７の漏れ光７ａを遮光されながら、遮光部４の穴４ｂに保持された受光部３ａを介して光導部３に入射する。光導部３の周囲には、入射した光束７を効率よく反射させるために、表示部２に設けられた反射壁２ｂが光導部３を囲むように形成されている。また、光導部３の上部も同様に、入射した光束７を効率よく反射させるために、表示部２に設けられた反射面２ｃが形成されている。
【００９９】
光導部３に入射した光束７は、反射面２ｃ上の表示部２を照明する。このとき、反射面２ｃで反射された光束７の戻り光７ｃは、光導部３に再入射して光導部３内の光量を増加させる。また、反射壁２ｂで反射した光束７の反射光７ｂも同様に、光導部３に再入射して光導部３内の光量を増加させる。そして、光源６から照射された光束７と、光束の反射光７ｂと、光束の戻り光７ｃとの作用によって、表示部２に設けられた反射面２ｃに光源の照明色と同じ色調の光束の溜り光７ｃが発生する。そのため、表示部２を視認すると、反射面２ｃの光源の照明色と同じ色調の光束の溜り光７ｃを視認することができ、操作釦５全体を照明ムラなく視認することができるという効果が得られる。また、遮光部４に設けられたリブ部４ａは、操作釦５の周囲に発生した周辺の漏れ光７ｅの光導部３への入射を防止しているため、より大きな効果が得られる。
【０１００】
また、本実施形態４による操作釦５は、実施形態１にて用いた金型（図７〜９）や、当該金型を備えた射出成形装置（図１１〜１３）を用いることによって、連続して製造することができる。ただし、図９において、表示部２を成形するキャビ部金型１７は、文字部２ａを成形しない金型となっている。また、図１１〜１３に示す射出成形装置は、外周部成形するキャビ部金型１８および成形機２３を備えないものとする。
【０１０１】
以上のことから、本実施形態４によれば、実施形態１による効果に加えて、光源の光束が弱い場合であっても操作釦全体を照明ムラなく照明（表示）することができる。
【０１０２】
〈実施形態５〉
実施形態１では、黒色の非透過性の成形材料を用いて成形した外周部１を備える操作釦５について説明した。本実施形態５では、意匠外観上の理由によって外周部を金属仕様にしており、実施形態４の操作釦５の表示部２に対して、二次加工を用いてスパッタリング等の金属蒸着を行って金属蒸着部（図２０の金属蒸着部２５）を形成した後、三次加工として所要の文字や記号等をレーザ加工等によって加工文字の文字部（図２０の加工文字部２５ａ）を形成している。
【０１０３】
図２０は、本発明の実施形態５による操作釦５（多層成形釦）の構成の一例を示す図である。図２０（ａ）に示すように、本実施形態５による操作釦５は、表示部２を覆い、かつ、表示部２の一部が露出するように金属蒸着された金属蒸着部２５を備え、金属蒸着部２５には加工文字部２５ａが形成されている。その他の構成は、実施形態１および４と同様であるため、ここでは説明を省略する。
【０１０４】
図２０（ｂ）に示すように、光源６から照射された光束７は、遮光部４に設けられたリブ４ａによって光束７の漏れ光７ａを遮光されながら、遮光部４の穴４ｂに保持された受光部３ａを介して光導部３に入射する。光導部３の周囲には、金属蒸着部２５の形成時にスパッタリング等に用いられた金属材料によって光束７が減光されないように、表示部２に設けられた反射壁２ｂが光導部３を囲むように形成されている。また、光導部３の上部も同様に、金属蒸着部２５によって光束７が減光されないように表示部２に設けられた反射面２ｃが形成されている。また、反射面２ｃ上の金属蒸着部２５には、レーザ加工等によって加工して形成された文字や記号等の加工文字部２５ａが設けられている。
【０１０５】
光導部３に入射した光束７は、反射面２ｃ上の加工文字部２５ａを照明する。このとき、反射面２ｃで反射された光束７の戻り光７ｃは、光導部３に再入射して光導部３内の光量を増加させる。また、反射壁２ｂで反射した光束７の反射光７ｂも同様に、光導部３に再入射して光導部３内の光量を増加させる。そして、光源６から照射された光束７と、光束の反射光７ｂと、光束の戻り光７ｃとの作用によって、表示部２に設けられた反射面２ｃに光源の照明色と同じ色調の光束の溜り光７ｃが発生する。そのため、矢視Ｎまたは矢視Ｐから加工文字部２５ａを視認すると、反射面２ｃの光源の照明色と同じ色調の光束の溜り光７ｃを視認することができ、操作釦５全体を照明ムラなく視認することができるという効果が得られる。また、遮光部４に設けられたリブ部４ａは、操作釦５の周囲に発生した周辺の漏れ光７ｅの光導部３への入射を防止しているため、より大きな効果が得られる。
【０１０６】
以上のことから、本実施形態５によれば、実施形態１と同様の効果を得ることができる。
【０１０７】
〈実施形態６〉
実施形態５では、操作釦５の外周部として金属蒸着部２５および加工文字部２５ａを形成した。本実施形態６では、意匠外観上の理由によって外周部を塗装仕様にしており、実施形態４の操作釦５の表示部２に対して、二次加工を用いて表示部２以外をマスキング塗装することによって塗装部（図示せず）を形成した後、三次加工として所要の文字や記号等をレーザ加工等によって加工文字の文字部（図示せず）を形成する（すなわち、形成された塗装部は、表示部を覆い、かつ、表示部の一部が露出するように塗装されている）ことを特徴としている。その他の構成は、実施形態１，４，５と同様であるため、ここでは説明を省略する。
【０１０８】
以上のことから、本実施形態６によれば、実施形態１，５と同様の効果を得ることができる。
【産業上の利用可能性】
【０１０９】
本発明の活用例として、比較的光量の少ない場所において使用されることが想定される、家庭機器である照明機器やリモコン、防災時の避難用機器であるラジオ、無線機器にも適用可能である。
【符号の説明】
【０１１０】
１  外周部、１ａ  穴文字部、１ｂ  ピンゲート、１ｃ  ピンゲート、２  表示部、２ａ  文字部、２ｂ  反射壁、２ｃ  反射面、２ｄ  ピンゲート、２ｅ  ピンゲート、３  光導部、３ａ  受光部、３ｂ  ゲート、３ｃ  ピンゲート、４  遮光部、４ａ  リブ、４ｂ  穴、４ｃ  ゲート、４ｄ  ピンゲート、５  操作釦、５ａ  操作釦、６  光源、７  光束、７ａ  漏れ光、７ｂ  反射光、７ｃ  戻り光、７ｄ  溜り光、７ｅ  漏れ光、８  意匠外観部、８ａ  操作釦挿入穴、８ｂ  意匠外観部裏面、８ｃ  押さえ部材取付用ボス、９  バネ部材、１０  押さえ部材、１０ａ  基板取付用ボス、１１  基板、１２  スイッチ、１２ａ  スイッチ、１２ｂ  スイッチ、１２ｃ  スイッチ、１２ｄ  スイッチ、１３  取付ネジ、１４  コア部金型、１４ａ  コア部金型、１４ｂ  コア部金型、１４ｃ  コア部金型、１４ｄ  コア部金型、１５  キャビ部金型、１５ａ  ランナー、１６  キャビ部金型、１６ａ  ランナー、１７  キャビ部金型、１７ａ  ランナー、１８  キャビ部金型、１８ａ  ランナー、１９  ターンテーブル、２０  成形機、２１  成形機、２２  成形機、２３  成形機、２４  ４連釦、２４ａ  上釦、２４ｂ  下釦、２４ｃ  左釦、２４ｄ  右釦、２５  金属蒸着部、２５ａ  加工文字部。
【図１】
2012204122.tif 000003
【図２】
2012204122.tif 000004
【図３】
2012204122.tif 000005
【図４】
2012204122.tif 000006
【図５】
2012204122.tif 000007
【図６】
2012204122.tif 000008
【図７】
2012204122.tif 000009
【図８】
2012204122.tif 000010
【図９】
2012204122.tif 000011
【図１０】
2012204122.tif 000012
【図１１】
2012204122.tif 000013
【図１２】
2012204122.tif 000014
【図１３】
2012204122.tif 000015
【図１４】
2012204122.tif 000016
【図１５】
2012204122.tif 000017
【図１６】
2012204122.tif 000018
【図１７】
2012204122.tif 000019
【図１８】
2012204122.tif 000020
【図１９】
2012204122.tif 000021
【図２０】
2012204122.tif 000022
【図２１】
2012204122.tif 000023
【図２２】
2012204122.tif 000024
【図２３】
2012204122.tif 000025
【図２４】
2012204122.tif 000026
【図２５】
2012204122.tif 000027
【図２６】
2012204122.tif 000028
【図２７】
2012204122.tif 000029
【図２８】
2012204122.tif 000030